(57)【特許請求の範囲】
【請求項１】
軸支部を有する基台と、
前記基台の前記軸支部に対して一端部が軸支され、踏み込みされて回動するフットボードと、
前記基台の長手方向における前記軸支部寄りの位置に設けられ、前記フットボードから押圧力を受けたことを検出する検出手段を配設するための第１の検出手段配設部と、
前記基台の長手方向における前記軸支部から遠い側の端部寄りの位置に設けられ、前記フットボードへの操作による衝撃または振動を検出する検出手段を配設するための第２の検出手段配設部と、を有し、
前記２つの検出手段配設部の少なくとも一方に前記検出手段が配設され、
前記第１の検出手段配設部に配設された検出手段及び前記第２の検出手段配設部に配設された検出手段の出力を選択的に切り替えて外部へ送出する切り替え手段を有することを特徴とする電子打楽器用のペダル装置。
【請求項２】
前記切り替え手段は、前記第１の検出手段配設部及び前記第２の検出手段配設部の少なくともいずれかを選択し、選択された検出手段配設部に配設された検出手段から出力された出力信号を外部へ送出することを特徴とする請求項１記載の電子打楽器用のペダル装置。
【請求項３】
前記第１の検出手段配設部は、ハイハットシンバル用の検出手段を配設するための検出手段配設部であり、前記第２の検出手段配設部は、バスドラム用の検出手段を配設するための検出手段配設部であることを特徴とする請求項１または２記載の電子打楽器用のペダル装置。
【請求項４】
軸支部を有する基台と、
前記基台の前記軸支部に対して一端部が軸支され、踏み込みされて回動するフットボードと、
前記基台の長手方向における前記軸支部寄りの位置に設けられ、ハイハットシンバル用の検出手段を配設するための第１の検出手段配設部と、
前記基台の長手方向における前記軸支部から遠い側の端部寄りの位置に設けられ、バスドラム用の検出手段を配設するための第２の検出手段配設部と、
前記２つの検出手段配設部の少なくとも一方に前記検出手段が配設されたことを特徴とする電子打楽器用のペダル装置。
【請求項５】
前記２つの検出手段配設部の双方に前記検出手段が配設されたことを特徴とする請求項１〜４のいずれか1項に記載の電子打楽器用のペダル装置。
【発明の詳細な説明】
【技術分野】
【０００１】
本発明は、電子打楽器用のペダル装置に関する。
【背景技術】
【０００２】
従来、電子打楽器用のペダル装置が知られている。この種のペダル装置は通常、ベース部（基台）に対してフットボードが操作により相対的に回動し、フットボードの動作をセンサやスイッチ等の検出手段で検出することで、楽音発生のための信号が得られる。
【０００３】
例えば、ハイハットシンバル用に適したペダル装置として下記特許文献１が知られ、バスドラム用に適したペダル装置として下記特許文献２が知られている。また、下記特許文献３に示されるように、スタンドに支持されるハイハット部にセンサスイッチを設け、ペダル動作に連動して上下するシャフトの上下動によってセンサスイッチが駆動されるように構成されるものもある。
【先行技術文献】
【特許文献】
【０００４】
【特許文献１】特許第３０５９１０５号公報
【特許文献２】特開２００８−１４５４６４号公報
【特許文献３】特許第４２４０１３４号公報
【発明の概要】
【発明が解決しようとする課題】
【０００５】
しかしながら、上記各特許文献のペダル装置は、それぞれ適用される打楽器専用に構成され、適用対象の打楽器の種類が限定されている。ペダル装置の本体あるいは完成品を異なる種類の打楽器に共通化して用いることができるようにすることについては実現されておらず、改良の余地がある。
【０００６】
本発明は上記従来技術の問題を解決するためになされたものであり、その目的は、ペダル装置の本体を異なる種類の電子打楽器間で共通化することができる電子打楽器用のペダル装置を提供することにある。
【課題を解決するための手段】
【０００７】
上記目的を達成するために本発明の請求項１の電子打楽器用のペダル装置は、軸支部（１９）を有する基台（１０）と、前記基台の長手方向における前記軸支部寄りの位置に設けられ、前記フットボードから押圧力を受けたことを検出する検出手段を配設するための第１の検出手段配設部と、前記基台の長手方向における前記軸支部から遠い側の端部寄りの位置に設けられ、前記フットボードへの操作による衝撃または振動を検出する検出手段を配設するための第２の検出手段配設部と、を有し、前記２つの検出手段配設部の少なくとも一方に前記検出手段が配設され、前記第１の検出手段配設部に配設された検出手段及び前記第２の検出手段配設部に配設された検出手段の出力を選択的に切り替えて外部へ送出する切り替え手段を有することを特徴とする。
【０００９】
好ましくは、前記切り替え手段は、前記第１の検出手段配設部及び前記第２の検出手段配設部の少なくともいずれかを選択し、選択された検出手段配設部に配設された検出手段から出力された出力信号を外部へ送出する（請求項２）。
好ましくは、前記第１の検出手段配設部は、ハイハットシンバル用の検出手段（１４）を配設するための検出手段配設部であり、前記第２の検出手段配設部は、バスドラム用の検出手段（１８）を配設するための検出手段配設部である（請求項３）。
上記目的を達成するために本発明の請求項４の電子打楽器用のペダル装置は、軸支部を有する基台と、前記基台の前記軸支部に対して一端部が軸支され、踏み込みされて回動するフットボードと、前記基台の長手方向における前記軸支部寄りの位置に設けられ、ハイハットシンバル用の検出手段を配設するための第１の検出手段配設部と、前記基台の長手方向における前記軸支部から遠い側の端部寄りの位置に設けられ、バスドラム用の検出手段を配設するための第２の検出手段配設部と、前記２つの検出手段配設部の少なくとも一方に前記検出手段が配設されたことを特徴とする。
【００１０】
好ましくは、前記２つの検出手段配設部の双方に前記検出手段が配設される（請求項５）。
【００１１】
なお、上記括弧内の符号は例示である。
【発明の効果】
【００１２】
本発明によれば、ペダル装置の本体を異なる種類の電子打楽器間で共通化することができる。
【００１４】
請求項３によれば、ペダル装置の本体をハイハットシンバルとバスドラムのいずれにも用いることができる。
【００１５】
請求項５によれば、製品としてのペダル装置を異なる種類の電子打楽器間で共通化することができる。
【図面の簡単な説明】
【００１６】
【図１】本発明の一実施の形態に係る電子打楽器用のペダル装置の模式的な側面図（図（ａ））、同ペダル装置の基台の模式的な平面図（図（ｂ））である。
【発明を実施するための形態】
【００１７】
以下、本発明の実施の形態を図面を参照して説明する。
【００１８】
図１（ａ）は、本発明の一実施の形態に係る電子打楽器用のペダル装置の模式的な側面図であり、一部を断面で示している。図１（ｂ）は、同ペダル装置の基台の模式的な平面図である。
【００１９】
このペダル装置は、例えば、電子打楽器としてのバスドラムに用いられるキックペダル、またはハイハットシンバルに用いられるハイハットコントローラ用ペダル（「ハイハットペダル」と呼称する）のうち任意の用途に用いることができる。
【００２０】
このペダル装置は、床面の上に設置されて、フットボード２０の踏み込みにより演奏操作がされる。以降、ペダル装置の前後、上下方向は、水平な床面に載置された状態を基準とし、図１（ａ）の右側、上側が、それぞれ前側、上側とする。
【００２１】
図１（ａ）、（ｂ）に示すように、ペダル装置はベース部である基台１０を有し、基台１０上に、板状のフットボード２０が配設される。基台１０の前部であるヒール１０ａに、左右方向（図１（ａ）の奥行き方向）に沿って軸支部である回動軸１９が設けられる。回動軸１９に、フットボード２０の一端部である前端部２０ａが軸支されている。これにより、フットボード２０は、回動軸１９を中心に自由端部である後端部２０ｂが上下方向（図１（ｂ）の時計及び反時計方向）に回動自在になっている。以降、回動方向については、後端部２０ｂが図１（ａ）の反時計方向に回動する方向を「踏み込み方向」、時計方向に回動する方向（踏み込み方向の反対方向）を「踏み上げ方向」と呼称する。
【００２２】
基台１０とフットボード２０との間にはコイルバネ２１が配設される。コイルバネ２１は、フットボード２０の自重による負荷を受けて圧縮され、フットボード２０を踏み上げ方向に付勢して初期位置に維持する。さらに、踏み込み方向に回動したフットボード２０を踏み上げ方向に付勢して初期位置に復帰させる。
【００２３】
基台１０上には、基台１０の長手方向（前後方向）における互いに異なる２つの位置に、２つの検出手段配設部としての第１の配設部１１と第２の配設部１２とが設けられている。
【００２４】
第１の配設部１１と第２の配設部１２とはコイルバネ２１を挟んで前後に配置される。すなわち、基台１０の長手方向において、第１の配設部１１は回動軸１９寄り（ヒール１０ａ寄り）の位置に設けられ、第２の配設部１２は回動軸１９から遠い側の端部寄り（後端部１０ｂ寄り）の位置に設けられる。
【００２５】
第１の配設部１１には、スイッチ基板１３が配設され、スイッチ基板１３に第１センサ１４が実装される。第１センサ１４は、ハイハットシンバル用の検出手段の一例であり、例えば接触式スイッチが採用される。一方、第２の配設部１２には、支持部１５、１６でクッション材１７がブリッジ状に支持され、クッション材１７の下面に第２センサ１８が配設される。第２センサ１８は、バスドラム用の検出手段であり、例えばピエゾセンサでなる。
【００２６】
フットボード２０の踏み込み操作により、フットボード２０が第１センサ１４を押圧駆動して、第１センサ１４が信号を出力する。それと並行して、フットボード２０がクッション材１７を打撃して、その振動を第２センサ１８が検出し、信号を出力する。
【００２７】
フットボード２０の下面のうち、少なくとも第１センサ１４を押圧する部分、及びクッション材１７を押圧する部分は、第１センサ１４及びクッション材１７に対して面で当接するように平坦面に形成され、衝撃や圧力が均等に与えられるようになっている。フットボード２０の下面のうち、コイルバネ２１が配設される部分は上方に窪んだ凹部となっている。
【００２８】
本ペダル装置をハイハットペダルとして用いる場合、フットボード２０の動作を検出する検出手段としては、フットボード２０から押圧力を受けたことを検出する種類のものが適しており、打撃のような衝撃ないし振動を検出する必要はない。そのため第１センサ１４は、フットボード２０の変位量が小さい根元側に対応して、回動軸１９寄りに配置される。
【００２９】
一方、本ペダル装置をキックペダルとして用いる場合、フットボード２０の動作を検出する検出手段としては、フットボード２０から打撃されることによる衝撃ないし振動を検出する種類のものが適している。そのため、第２センサ１８は、フットボード２０の変位量が大きい自由端側に対応して、後端部１０ｂ寄りに配置される。
【００３０】
基台１０は、後方ほど上下の厚みが厚くなっており、基台１０のうち、第２センサ１８が配設される部分は、スイッチ基板１３が配設される部分より上下方向の厚みが厚い。これにより、大きい衝撃を受ける第２センサ１８の配設部分の厚い肉厚が確保される。
【００３１】
ただし、第１センサ１４、第２センサ１８は、最低限、フットボード２０により押圧されて信号を出力する検出手段であればよく、種類は限定されない。
【００３２】
図１（ｂ）に示すように、基台１０の例えば後端部１０ｂには、第１センサ１４、第２センサ１８から出力される信号を外部に送るためのジャック部２２が設けられている。後端部１０ｂにはまた、切り替えスイッチ２３が設けられている。第１センサ１４、第２センサ１８の各出力信号は、ジャック部２２から外部に送出される。
【００３３】
ただし、切り替えスイッチ２３の操作により、第１センサ１４の出力信号のみを送出する第１モード、第２センサ１８の出力信号のみを送出する第２モード、第１センサ１４及び第２センサ１８の双方の出力信号を並行して個別に送出する第３モードの３通りの態様を任意に選択することができる。
【００３４】
ジャック部２２から送出された出力信号は、外部装置において打撃演奏トリガ信号や楽音パラメータ制御信号として処理され、打撃演奏データに変換されたり、リアルタイムに音響に変換されたりする。
【００３５】
なお、ジャック部２２をスイッチ基板１３と電気的に接続し、このスイッチ基板１３に、第１センサ１４、第２センサ１８の信号線を着脱可能な端子を設け、接続／非接続にできる構成としてもよい。それにより、必要に応じて一方のセンサをスイッチ基板１３に接続しないでおくことで、機能選択がしやすくなる。
【００３６】
ところで、検出手段配設部は第１の配設部１１と第２の配設部１２の２つが存在するが、実際に実装する検出手段は、第１センサ１４、第２センサ１８のいずれか一方のみとしてもよい。すなわち、製品出荷段階において、ハイハットペダルとして出荷する場合には第１センサ１４のみを実装し、キックペダルとして出荷する場合は第２センサ１８のみを実装するという態様が現実的である。
【００３７】
そのようにすれば、ペダル装置の本体（第１センサ１４、第２センサ１８、及びこれらの実装のために必要な部品である支持部１５、１６、クッション材１７及びスイッチ基板１３を除いた部分）を、ハイハットシンバルとバスドラムのいずれにも用いることができる。なお、２つの用途は、ハイハットシンバルとバスドラムに限定されるものではない。
【００３８】
本実施の形態によれば、２つの検出手段配設部（第１の配設部１１と第２の配設部１２）を設けたので、ペダル装置の本体（検出手段の実装のために必要な部品を除いた部分）を異なる種類の電子打楽器間で共通化することができる。しかも、第１の配設部１１と第２の配設部１２とは基台１０の長手方向における互いに異なる２つの位置に設けたので、適用対象となる打楽器の種類に適した検出手段を適した配設位置に配置することができる。
【００３９】
また、予め第１の配設部１１及び第２の配設部１２の双方を配設した状態で製品とすることで、センサ込みの製品としてのペダル装置を異なる種類の電子打楽器間で共通化することができる。特に切り替えスイッチ２３により、ユーザにおける使用段階でペダル装置を所望の種類の電子打楽器専用にすることができる。
【００４０】
以上、本発明をその好適な実施形態に基づいて詳述してきたが、本発明はこれら特定の実施形態に限られるものではなく、この発明の要旨を逸脱しない範囲の様々な形態も本発明に含まれる。
【符号の説明】
【００４１】
１０  基台、  １０ｂ  後端部、  １１  第１の配設部（第１の検出手段配設部）、  １２  第２の配設部（第２の検出手段配設部）、  １４  第１センサ（検出手段）、  １８  第２センサ（検出手段）、  １９  回動軸、  ２０  フットボード、  ２０ａ  前端部（一端部）
【図１】
0006015133.tif 000002